(57)【要約】      （修正有）【課題】検査情報を記録した電子ファイルの形式によらず、複数の眼科用検査装置の検査結果をまとめて記録、表示可能な、簡易で安価な眼科用撮影装置を提供する。【解決手段】撮影した被検眼像をデジタル画像データに変換し、他の検査装置の検査情報を文字として入力し、入力された検査情報をデジタル画像データと共に一つの電子ファイルとして記録媒体に記録する記録手段とを備え、他検査情報入力手段から入力した検査情報からファイル名を生成するファイル名生成手段を有し、記録手段はファイル名生成手段で生成されたファイル名で電子ファイルに記録する。【選択図】図１
2005261451.tif 000002
【特許請求の範囲】
【請求項１】
被検眼を撮影する撮影手段と、撮影した被検眼像をデジタル画像データに変換する変換手段、他の検査装置の検査情報を文字として入力する他検査情報入力手段と、入力された検査情報を前記デジタル画像データと共に一つの電子ファイルとして記録媒体に記録する記録手段とを備えたことを特徴とする眼科用撮影装置。
【請求項２】
前記他検査情報入力手段から入力した検査情報からファイル名を生成するファイル名生成手段を有し、前記記録手段は前記ファイル名生成手段で生成されたファイル名で電子ファイルに記録することを特徴とする、請求項１に記載の眼科用撮影装置。
【請求項３】
ファイル名に含まれる検査情報を、電子ファイルに記録されたデジタル画像データと共に表示する表示手段を有することを特徴とする、請求項２に記載の眼科用撮影装置。
【発明の詳細な説明】
【技術分野】
【０００１】
本発明は、眼科医院、集団検診、人間ドックなどにおいて眼底検査等に使用される眼科用撮影装置に関するものである。
【背景技術】
【０００２】
従来より、様々な眼科用検査装置が知られており、被検眼の眼底像を撮影する眼底カメラや被検眼の前眼部を検査するスリットランプ、被検眼の屈折率を計測する眼屈折計、眼圧を測定する眼圧計、視力を測定する視力計、被検者の視認範囲を測定する眼底視野計などが使用されている。
【０００３】
近年、これら眼科用検査装置の中には検査結果や患者情報などを電子ファイルとして記録媒体に記録可能なものも増えてきており、例えば検査結果として眼底画像が得られる眼底カメラでは、撮影された眼底像を電子画像ファイルとして記録し、検査結果として眼圧値という数値情報が得られる眼圧計では眼圧情報を電子情報ファイルとして記録するものなどが一般的に知られている。
【０００４】
また、これらの検査結果が記録された電子ファイルを表示・管理・検索するための検査結果表示用装置や医用検査データベースなども広く知られている。
【特許文献１】特開２００２−２３８８６０
【特許文献２】特開２００３−０７９５８１
【発明の開示】
【発明が解決しようとする課題】
【０００５】
しかしながら、上述したような眼科用検査装置では検査情報を製造者ごとに独自の形式で電子ファイルに記録しているため、独自のデータベースシステムやカスタマイズを行った専用のアプリケーションを用いなければ検査結果を表示・運用することができないという問題があった。
【０００６】
ところで、眼科医院や検診では一人の被検者に対して複数の異なる検査装置を用い、複数の検査を行う事が一般的である。上述したような眼科用検査装置では、検査装置ごとに複数の異なるアプリケーションを切り替えながら利用して被検眼の診断を行わなければならず、診断業務が大変困難なものとなってしまう。例えば緑内障の検査では、眼底カメラによる視神経乳頭部の画像と、眼圧計による眼圧値を同時に確認可能になることが、他人の眼圧値に基づく誤診断などを予防するだけでなく、診断効率の向上という面でも大いに効果がある。
【０００７】
また、一人の被検者を一度検査するたびに複数の電子ファイルが記録媒体に保存され、それらが独自の管理方法と独自のファイル名によって管理されることになり、検査や患者の管理が困難になるという問題もある。
【０００８】
本発明は、検査情報を記録した電子ファイルの形式によらず、複数の眼科用検査装置の検査結果をまとめて記録、表示可能な、簡易で安価な眼科用撮影装置を提供することである。
【課題を解決するための手段】
【０００９】
上記目的を達成する為に請求項１の発明は、被検眼を撮影する撮影手段と、撮影した被検眼像をデジタル画像データに変換する変換手段、他の検査装置の検査情報を文字として入力する他検査情報入力手段と、入力された検査情報をデジタル画像データと共に一つの電子ファイルとして記録媒体に記録する記録手段とを備えたことを特徴とする。
【発明の効果】
【００１０】
以上説明したように、本発明に係る眼科用撮影装置では被検眼の画像を記録した電子ファイルのファイル名に他の検査装置で検査した検査情報が書き込まれているため、電子ファイル内の形式に寄らず、汎用のＯＳやアプリケーションソフトで容易に検査情報を確認し、管理することができる。また、複数の検査装置による検査情報を同時に確認可能であるため、医師の診断効率を向上させ、誤診断を予防することが可能になる。
【発明を実施するための最良の形態】
【００１１】
（実施例）
本発明を図示の実施例に基づいて詳細に説明する。
【００１２】
図１は、本発明を実施した眼科用撮影装置の構成を示す図である。
【００１３】
対物レンズ１４と、穴あきミラー１５、照明光学系１６、照明用光源１７は、被検眼Ｅを照明するための被検眼照明手段を構成する。一方、対物レンズ１４と、穴あきミラー１５、撮影用光学系１８、撮影された画像をデジタル情報として出力するデジタルカメラ１９は、被検眼Ｅの画像を撮影するための撮影部１を構成する。
【００１４】
制御回路２０、他の検査装置の検査情報を入力する他検査情報入力部６、電子ファイルを記録するための記録媒体４、モニタ１３は撮影された被検眼像と検査情報を記録または再生する記録再生手段を構成する。
【００１５】
また、図２は被検眼像と他検査装置の検査情報を記録する部分の詳細を図示したものである。前記撮影手段を構成する撮影部１と、デジタル画像データを記憶する記憶手段である画像メモリ２、ファイル記録部３、記録媒体４は被検眼像の撮影記録手段を構成する。他検査装置８ａおよび８ｂ、検査情報を送信する伝送路７、他検査情報入力部６、ファイル名生成部５、ファイル記録部３、記録媒体４は他検査装置の検査情報記録手段を構成する。
【００１６】
また、図３は記録媒体４に記録された電子ファイルを読み出し、モニタに表示する読み込み再生部分の詳細を図示したものである。記録媒体４、ファイル読み出し部９、画像メモリ１０、ファイル名に記録された他検査機器の検査情報を解析するファイル名解析部１１、読み出した被検眼像に他検査機器の検査情報を重ねて表示するオーバーレイ出力部１２、モニタ１３で構成されている。
【００１７】
次に本実施例による眼科用撮影装置を使用して被検眼像を撮影し、他の検査装置の検査情報と共に記録、再生する場合の動作について説明する。
【００１８】
［撮影・記録動作］
図４のステップＳ１０１は被検眼の撮影動作を示している。操作者は、被検者を撮影装置の正面に着座させ、被検眼の位置合わせを行う。撮影者は被検眼の撮影範囲、位置、ピント合わせが略良好であることを確認した後、図示しない撮影スイッチを操作し被検眼の撮影を行う。撮影スイッチへの入力を検知すると、照明用光源１７は電荷を放電し発光する。照明用光源２７を発した光束は照明用光学系１６を通り、穴あきミラー１５周辺のミラー部により左方に反射され、対物レンズ１４を通して被検眼Ｅを照明する。このように照明された被検眼Ｅの像は、再び対物レンズ１４、穴あきミラー１５の中心穴を通過し、撮影光学系１８を通って、デジタルカメラ１９内の図示しない撮像素子に結像する。
【００１９】
不図示の撮像素子上に結像した被検眼像はデジタルカメラ１９内のＡ／Ｄ変換装置によってデジタル画像データに変換され、ステップＳ１０２により画像メモリ２に出力される。
【００２０】
ところで、被検者は別の眼科用検査装置８ａでの検査も行っている。ここでは緑内障の検査を想定し、他検査装置８ａで眼圧値を測定した場合について説明する。
【００２１】
ステップＳ１０３により他検査装置８ａで被検者の眼圧値の測定が終了すると、他検査装置８ａに内蔵された不図示の検査情報出力手段は、測定した眼圧情報を文字情報として伝送路７に出力する。撮影装置に内蔵された他検査情報入力部６は、ステップＳ１０４に従い、伝送路７を経由してきた眼圧検査に関する文字情報を受け取る。
【００２２】
他検査情報入力部６で受け取った眼圧情報はファイル名生成部５へと入力され、ステップＳ１０５では、受け取った情報をもとに記録媒体４に記録する電子ファイルに付与するファイル名を生成する。変換されたファイル名の例を図６に示す。ここでは、入力された眼圧情報に患者番号を付けてファイル名としている。
【００２３】
ステップＳ１０６では、被検眼像と眼圧情報を含んだ電子ファイルを構築する動作を行う。ファイル記録部３には、画像メモリ２に記録されたデジタル画像データと、ファイル名生成部５が出力したファイル名が入力される。図７に示すように、ファイル記録部３に内蔵された電子ファイル構成手段はデジタル画像データを符号化し、電子ファイルの名前として前記ファイル名を付与して、一つの電子ファイルを構築する。構築された電子ファイルはステップＳ１０７で、記録媒体４に記録される。
【００２４】
以上の様に記録媒体４に記録された電子ファイルは、図８で示すように汎用のＯＳやアプリケーションソフトが有するファイルリスト表示機能を用いて表示することが可能であり、検査結果の管理が容易になるだけでなく、医師は被検者の診断を行う際に一つの電子ファイルを一般的なアプリケーションソフトを用いて見るだけで、確実な診断が可能になる。
【００２５】
［再生・表示動作］
次に本実施例による眼科用撮影装置を使用して記録媒体４に記録された電子ファイルを読み込み、表示する動作の詳細について説明する。
【００２６】
図５のステップＳ２０１では、ファイル読み出し部９によって記録媒体４に記録された電子ファイルを読み取る動作を示している。続けてステップＳ２０２においてファイル読み出し部９は電子ファイルから眼圧情報の含まれたファイル名を読み出し、ファイル名解析部１１に出力する。さらに、ステップＳ２０３により読み出した電子ファイルに含まれる、符号化されたデジタル画像データを復号化し、画像メモリ１０に出力する。
【００２７】
ステップＳ２０４では、ファイル名解析部１１は入力されたファイル名の中から拡張子などの不要な情報を削除し、眼圧情報等の表示に必要な情報のみを取り出した上で、必要であれば文字情報を追加してからオーバレイ出力部１２に出力する。
【００２８】
オーバレイ出力部１２は、ステップＳ２０５において、画像メモリ１０からデジタル画像データを読み込み、ファイル名解析部１１から入力された眼圧情報を含む文字列を重ね合わせ、ステップＳ２０６に従いモニタ１３に出力する。
【００２９】
図９はモニタ１３に表示される検査結果の例である。本発明による眼科用撮影装置で撮影された被検眼像と共に、患者番号と眼圧値を表示している。
【図面の簡単な説明】
【００３０】
【図１】この発明にかかる眼科用撮影装置の一例を示す構成図である。
【図２】撮影した被検眼像と他検査装置の検査情報を記録する部分の動作を示す説明図である。
【図３】電子ファイルを読み出してモニタに表示する部分の動作を示す説明図である。
【図４】撮影した被検眼像を他の検査装置の検査情報と共に記録する動作のフロー図である。
【図５】電子ファイルに記録された被検眼像と検査情報を共に表示する動作のフロー図である。
【図６】ファイル名生成部の動作を示す説明図である。
【図７】電子ファイルを構築する動作の例を示す説明図である。
【図８】記録媒体に記録された電子ファイルの一覧表示の例を示す説明図である。
【図９】モニタに表示される被検眼像と検査情報の例を示す説明図である。
【符号の説明】
【００３１】
Ｅ  被検眼
１  撮影部
３  ファイル記録部
４  記録媒体
５  ファイル名生成部
６  他検査情報入力部
８  他検査装置
９  ファイル読み出し部
１１  ファイル名解析部
１２  オーバレイ出力部
１３  モニタ
２０  制御回路
【図１】
2005261451.tif 000003
【図２】
2005261451.tif 000004
【図３】
2005261451.tif 000005
【図４】
2005261451.tif 000006
【図５】
2005261451.tif 000007
【図６】
2005261451.tif 000008
【図７】
2005261451.tif 000009
【図８】
2005261451.tif 000010
【図９】
2005261451.tif 000011